(57)【要約】【課題】  表示パネル上にメニュー画面を画像に重ねて表示させる際に、調整者の指定する位置にメニュー画面を表示する。【解決手段】  入力された画像を表示する表示パネル上に例えば調整用のメニュー画面を重ねて表示する場合、ユーザが指示器で表示パネル上におけるメニュー画面の表示位置を指定すると、自動的に指示器で指定された表示位置の近くにメニュー画面を表示する。例えば、ユーザが指示器で指定した位置が表示パネルの右半分の領域にあればメニュー画面を表示パネルの右半分の領域に表示する。【選択図】図４Ｂ
2005122393.tif 000002
【特許請求の範囲】
【請求項１】
入力された画像を表示パネルに表示する出力装置であって、
メニュー画面を前記表示パネル上に表示する表示手段と、
前記表示パネル上での前記メニュー画面の表示位置を指定する指示手段と、
前記指示手段が指定する表示位置に前記メニュー画面を表示するように前記表示手段を制御する制御手段と、
を有することを特徴とする出力装置。
【請求項２】
前記メニュー画面は、出力条件を調整するための調整画面であり、
前記出力条件の調整が開始されると、前記制御手段は、前記指示手段が指定する表示位置に前記調整画面を表示するように前記表示手段を制御することを特徴とする請求項１に記載の出力装置。
【請求項３】
前記出力条件は、表示画像の画質調整または出力音声の音質調整であることを特徴とする請求項２に記載の出力装置。
【請求項４】
前記制御手段は、前記指示手段が指定する位置が前記表示パネル上に無い場合には、前記指示手段が最後に指定した前記表示パネル上の表示位置を用いて前記表示手段を制御することを特徴とする請求項１乃至請求項３にいずれか１項に記載の出力装置。
【請求項５】
前記制御手段は、前記指示手段が指定する表示位置が前記表示パネル内の第１領域にあれば前記調整画面を第１位置に表示させ、前記表示パネル内の第２領域にあれば前記調整画面を第２位置に表示させるように前記表示手段を制御することを特徴とする請求項１乃至請求項３のいずれか１項に記載の出力装置。
【請求項６】
前記第１領域は前記表示パネルの右半分の領域であり、前記第２領域は前記表示パネルの左半分の領域であり、前記第１位置は前記右半分の領域内にあり、前記第２位置は前記左半分の領域内にあることを特徴とする請求項５記載の出力装置。
【請求項７】
前記メニュー画面は、出力条件を調整する調整画面の表示位置を選択させるためのアイコンであり、
前記表示パネル上の右部分および左部分の領域中に前記画像を表示しない非表示領域が存在する場合に前記出力条件の調整が開始されると、前記表示手段は、前記非表示領域に前記アイコンをそれぞれ表示し、
前記アイコンを選択する選択手段を更に有し、
前記制御手段は、前記選択手段によって選択されたアイコンの存在する領域に前記調整画面を表示するように前記表示手段を制御することを特徴とする請求項１に記載の出力装置。
【請求項８】
前記出力条件は、表示画像の画質調整または出力音声の音質調整であることを特徴とする請求項７に記載の出力装置。
【請求項９】
前記制御手段は、前記選択手段によって、前記右部分の非表示領域のアイコンが指定されると前記調整画面を前記表示パネル上の右部分の領域に表示させ、前記左部分の非表示領域のアイコンが指定されると前記調整画面を前記表示パネル上の左部分の領域に表示させるように前記表示手段を制御することを特徴とする請求項７または請求項８に記載の出力装置。
【請求項１０】
前記表示パネルの画面のアスペクト比が１６：９であり、前記入力された画像のアスペクト比が４：３であることを特徴とする請求項７に記載の出力装置。
【請求項１１】
入力された画像を表示する表示パネルと、メニュー画面を前記表示パネル上に表示する表示手段とを有する出力装置の制御方法であって、
前記表示パネル上での前記メニュー画面の表示位置を指定する指示工程と、
前記指示工程によって指定された表示位置に前記メニュー画面を表示するように前記表示手段を制御する制御工程と、
を有することを特徴とする出力装置の制御方法。
【請求項１２】
前記メニュー画面は、出力条件を調整するための調整画面であり、
前記出力条件の調整が開始されると、前記制御工程は、前記指示工程によって指定された表示位置に前記調整画面を表示するように前記表示手段を制御することを特徴とする請求項１１に記載の出力装置の制御方法。
【請求項１３】
入力された画像を表示する表示パネルと、メニュー画面を前記表示パネル上に表示する表示手段とを有する出力装置を制御する制御プログラムであって、
前記表示パネル上での前記メニュー画面の表示位置を指定する指示工程のプログラムコードと、
前記指示工程によって指定された表示位置に前記メニュー画面を表示するように前記表示手段を制御する制御工程のプログラムコードと、
を有することを特徴とする出力装置を制御する制御プログラム。
【請求項１４】
前記メニュー画面は、出力条件を調整するための調整画面であり、
前記出力条件の調整が開始されると、前記制御工程は、前記指示工程によって指定された表示位置に前記調整画面を表示するように前記表示手段を制御することを特徴とする請求項１３に記載の出力装置を制御する制御プログラム。
【発明の詳細な説明】
【技術分野】
【０００１】
本発明は、表示パネル上の位置を指定する指示器を備えた出力装置、その制御方法、制御プログラムに関し、特に、指示器を使用して表示パネル上に出力条件を調整する調整画面を表示する際に、容易にかつ適切な位置に調整画面を表示させることができる出力装置、その制御方法、制御プログラムに関する。
【背景技術】
【０００２】
従来、ＣＲＴディスプレイ、液晶ディスプレイなどの表示装置においては、装置の表示画質や音質などの各調整を行うための調整処理機能を持っている。
【０００３】
通常この調整処理は、表示画面上に調整項目や調整値などの文字や数字をオーバーレイするという形でオンスクリーン表示し、使用者はそのオンスクリーン表示を見ながら本体上に配されたボタンまたはリモコン上のボタン操作によって調整を行うという方法が一般的である。
【０００４】
また近年では、ペンなどの指示器により使用者が画面上の位置を直感的に指し示すことができるような装置の開発が進んでいる。例えば、表示装置の画面内部にセンサーを備えてペンなどが触れたときの圧力を検出する方式、ペンが発生した磁界を表示装置の画面内部のセンサーが検出する電磁誘導方式、超音波発信子と超音波センサーにより表示装置画面上の物体の位置を検出する超音波表面弾性波方式、ペンから発信した赤外線を表示装置内部のセンサーにより受信する方式など、いくつかの方法が発明され、実用化されてきている。
【０００５】
指示器を使用して、調整処理を行うようにした発明もなされている。例えば、特開平５−２７７２４号公報においては、液晶ディスプレイ、プラズマディスプレイなどの表示装置にペンなどの座標指示器を備えて、画面上にオンスクリーン表示された、コントラストなどの調整を指示器により行うようにした発明が開示されている。
【特許文献１】特開平５−２７７２４号公報
【発明の開示】
【発明が解決しようとする課題】
【０００６】
ところで、表示装置の中でも特にリアプロジェクションディスプレイやプラズマディスプレイなどは、近年、高精細化や高輝度化などの技術進歩や低コスト化などにより、大型化、低価格化が進んでおり、大型表示装置の普及も進みつつある。
【０００７】
ここで、多くの人数が同時に大型の表示画面を見ているときに、指示器を持った者（調整者）が表示画面上に出力条件（表示画質、音質など）の調整を行うために調整画面を表示させることがある。このとき、調整者は通常他の人の邪魔にならないよう表示画面の左（あるいは右）の横に立ち、表示された調整画面を指示器で選択しながら各種の調整を行うことになる。
【０００８】
しかしながら、大型の表示装置の場合には、調整者から離れた位置にこの調整画面を表示すると（例えば、表示画面の左に立っている調整者に対して表示画面の右端に調整画面を表示するなど）、調整者はこの調整を行うために表示画面を横切って移動しなければならないなど調整者に負担がかかる可能性がある。
【０００９】
また画面の画像を表示中に調整者が画面の前を横切るのは見苦しいばかりでなく、他の視聴者が表示された画像を見づらくなる。また、画面の中央部に調整画面を表示すると、調整者は表示装置の中央付近に立って調整操作を行うことになるため、やはり他の視聴者は表示された画像を見づらくなってしまう。
【００１０】
本発明は、上記説明した従来技術の問題点を克服することを出発点としてなされたものであり、その目的は、表示パネル上にメニュー画面を画像に重ねて表示する際に、ユーザが容易に操作できる位置にメニュー画面を表示できる出力装置及びその制御方法を提供することである。
【課題を解決するための手段】
【００１１】
上記目的を達成するための本発明に係る一実施形態の出力装置は、以下の構成を有する。すなわち、入力された画像を表示パネルに表示する出力装置であって、メニュー画面を前記表示パネル上に表示する表示手段と、前記表示パネル上での前記メニュー画面の表示位置を指定する指示手段と、前記指示手段が指定する表示位置に前記メニュー画面を表示するように前記表示手段を制御する制御手段と、を有することを特徴とする。
【００１２】
ここで、例えば、前記メニュー画面は、出力条件を調整するための調整画面であり、前記出力条件の調整が開始されると、前記制御手段は、前記指示手段が指定する表示位置に前記調整画面を表示するように前記表示手段を制御することが好ましい。
【００１３】
ここで、例えば、前記出力条件は、表示画像の画質調整または出力音声の音質調整であることが好ましい。
【００１４】
ここで、例えば、前記制御手段は、前記指示手段が指定する位置が前記表示パネル上に無い場合には、前記指示手段が最後に指定した前記表示パネル上の表示位置を用いて前記表示手段を制御することが好ましい。
【００１５】
ここで、例えば、前記制御手段は、前記指示手段が指定する表示位置が前記表示パネル内の第１領域にあれば前記調整画面を第１位置に表示させ、前記表示パネル内の第２領域にあれば前記調整画面を第２位置に表示させるように前記表示手段を制御することが好ましい。
【００１６】
ここで、例えば、前記第１領域は前記表示パネルの右半分の領域であり、前記第２領域は前記表示パネルの左半分の領域であり、前記第１位置は前記右半分の領域内にあり、前記第２位置は前記左半分の領域内にあることが好ましい。
【００１７】
ここで、例えば、前記メニュー画面は、出力条件を調整する調整画面の表示位置を選択させるためのアイコンであり、前記表示パネル上の右部分および左部分の領域中に前記画像を表示しない非表示領域が存在する場合に前記出力条件の調整が開始されると、前記表示手段は、前記非表示領域に前記アイコンをそれぞれ表示し、前記アイコンを選択する選択手段を更に有し、前記制御手段は、前記選択手段によって選択されたアイコンの存在する領域に前記調整画面を表示するように前記表示手段を制御することが好ましい。
【００１８】
ここで、例えば、前記出力条件は、表示画像の画質調整または出力音声の音質調整であることが好ましい。
【００１９】
ここで、例えば、前記制御手段は、前記選択手段によって、前記右部分の非表示領域のアイコンが指定されると前記調整画面を前記表示パネル上の右部分の領域に表示させ、前記左部分の非表示領域のアイコンが指定されると前記調整画面を前記表示パネル上の左部分の領域に表示させるように前記表示手段を制御することが好ましい。
【００２０】
ここで、例えば、前記表示パネルの画面のアスペクト比が１６：９であり、前記入力された画像のアスペクト比が４：３であることが好ましい。
【００２１】
上記目的を達成するための本発明に係る一実施形態の出力装置の制御方法は、以下の構成を有する。すなわち、入力された画像を表示する表示パネルと、メニュー画面を前記表示パネル上に表示する表示手段とを有する出力装置の制御方法であって、前記表示パネル上での前記メニュー画面の表示位置を指定する指示工程と、前記指示工程によって指定された表示位置に前記メニュー画面を表示するように前記表示手段を制御する制御工程と、を有することを特徴とする。
【００２２】
ここで、例えば、前記メニュー画面は、出力条件を調整するための調整画面であり、前記出力条件の調整が開始されると、前記制御工程は、前記指示工程によって指定された表示位置に前記調整画面を表示するように前記表示手段を制御することが好ましい。
【００２３】
上記目的を達成するための本発明に係る一実施形態の制御プログラムは、以下の構成を有する。すなわち、入力された画像を表示する表示パネルと、メニュー画面を前記表示パネル上に表示する表示手段とを有する出力装置を制御する制御プログラムであって、前記表示パネル上での前記メニュー画面の表示位置を指定する指示工程のプログラムコードと、前記指示工程によって指定された表示位置に前記メニュー画面を表示するように前記表示手段を制御する制御工程のプログラムコードと、を有することを特徴とする。
【００２４】
ここで、例えば、前記メニュー画面は、出力条件を調整するための調整画面であり、前記出力条件の調整が開始されると、前記制御工程は、前記指示工程によって指定された表示位置に前記調整画面を表示するように前記表示手段を制御することが好ましい。
【発明の効果】
【００２５】
本発明によれば、表示パネル上にメニュー画面を画像に重ねて表示する際に、ユーザが指示器等で表示パネル上のメニュー画面の表示位置を指定すると、指定された表示位置の近くにメニュー画面を表示できる出力装置及びその制御方法を提供することができる。
【発明を実施するための最良の形態】
【００２６】
以下、図面を参照して本発明の実施の形態について説明する。
【００２７】
＜第１の実施の形態＞
［出力装置の構成：図１Ａ］
図１Ａの（ａ）は、本発明の第１の実施の形態の出力装置の構成を表す図である。１０１は、内部に不図示の光源ランプ、液晶パネル、拡大投影光学系、液晶パネル駆動や信号処理を行うための電気回路などを内蔵し、外部から入力された画像を液晶パネル上に生成し、大型スクリーン上に拡大投影して表示するリアプロジェクション型ディスプレイである。画面の横と縦の比を示すアスペクト比は１６：９で、一般にワイドアスペクトと呼ばれるサイズとなっている。
【００２８】
１０２は、リアプロジェクション型ディスプレイ１０１の画面上の位置（座標）を指し示す（指定する）ためのペン型の指示器である。指示器１０２には、図１Ａの（ｂ）に詳細に示すように、先端の部分に選択ボタン１０２−１が装備されており、ディスプレイ１０１の画面上のある位置をクリックすると、選択ボタン１０２−１が押下されるように作られている。また、指示器１０２はさらに、胴体部分にメニューボタン１０２−２を１つ備えており、指で押下できるようになっている。
【００２９】
そして、指示器１０２の選択ボタン１０２−１あるいはメニューボタン１０２−２のいづれかのボタンが押下されると、リアプロジェクション型ディスプレイ１０１のスクリーン上端部に配されている指示器信号の受信部１０５−１および１０５−２に対し、その情報を指示器の先端部分１０２−３から赤外線により発信するようになっている。
【００３０】
受信部の処理について図１Ｂの（ｃ）を用いて説明する。まず、画面上の左上座標を（０，０）、右下座標を（６５５３５，６５５３５）とする。そして指示器１０２が座標（Ｘ１、Ｙ）を指し示しているものとする。受信部１０５−１および１０５−２においては、それぞれ指示器１０２から受信した赤外線の入射角度を検出するようになっている。検出角度は水平方向を基準として、図示したようにそれぞれθ１及びθ２であったとする。このとき、Ｘ１、Ｘ２、Ｙ、θ１及びθ２の関係は以下のように表される。
【００３１】
Ｙ＝Ｘ１ｔａｎ（θ１）
Ｙ＝Ｘ２ｔａｎ（θ２）
Ｘ２＝６５５３５−Ｘ１   ・・・（１）
式（１）より、
Ｘ１＝６５５３５×ｔａｎ（θ２）／（ｔａｎ（θ１）＋ｔａｎ（θ２））
Ｙ＝Ｘ１ｔａｎ（θ１）   ・・・（２）
指示器受信部は、式（２）を使用して、検出したθ１及びθ２から、指示座標（Ｘ１，Ｙ）を算出する。
【００３２】
［キー入力部：図２］
１０３は、リアプロジェクション型ディスプレイ１０１の前面に配置されたキー入力部である。キー入力部１０３の拡大図を図２に示す。２０２は“ＰＯＷＥＲ（パワー）”キーであり、リアプロジェクション型ディスプレイ１０１の電源をオンまたはオフするためのキーである。
【００３３】
２０３は“ＳＯＵＲＣＥ（ソース）”キーである。リアプロジェクション型ディスプレイ１０１は、コンピュータからの画像および音声を入力するための入力端子と、テレビチューナー、ＤＶＤプレイヤーなどのビデオ機器からの画像および音声を入力するためのビデオ入力端子を装備している。“ＳＯＵＲＣＥ”キー２０３は、どちらの画像／音声を出力するかを選択するためのキーであり、“ＳＯＵＲＣＥ”キー２０３を押すごとに、コンピュータ入力とビデオ機器入力の表示及び音声出力とを切り換えるようになっている。
【００３４】
２０４は、“ＭＥＮＵ（メニュー）”キーであり、リアプロジェクション型ディスプレイ１０１の表示画像の画質調整や、出力音声の音質調整などを行う調整処理を行うときに使用するキーである。“ＳＥＴ（セット）”キー２０５、“ＵＰ（アップ）”キー２０６、“ＬＥＦＴ（レフト）”キー２０７、“ＲＩＧＨＴ（ライト）”キー２０８、“ＤＯＷＮ（ダウン）”キー２０９は調整処理のとき調整項目選択や調整値変更を行うときに使用するキーである。また、“ＶＯＬ ＵＰ（ボリュームアップ）”キー２１０、“ＶＯＬ ＤＯＷＮ（ボリュームダウン）”キー２１１は、それぞれ音声の出力レベルをアップ、ダウンさせるキーである。
１０４は、リアプロジェクション型ディスプレイ１０１を遠隔から操作するためのリモートコマンダーである。リモートコマンダー１０４は、キー入力部１０３にある各キーと同一の名前と機能を持ったボタンを備えている。そのほかに、一時的に音声出力を遮断するための“ＭＵＴＥ（ミュート）”ボタンなど、キー入力部１０３にはない付加的な機能を持つボタンをいくつか備えている。
【００３５】
［画像処理部：図３］
次に、リアプロジェクション型ディスプレイ１０１内部の画像処理部の一部を図３に示し、外部から入力された画像を処理する時の動作を説明する。３０９は、外部のコンピュータあるいはビデオ機器から入力された画像信号である。画像信号３０９は、画像処理部３０１に入力される。ビデオ機器から入力されたビデオ信号の場合はまずアナログＲＧＢ信号にデコードされＡ／Ｄ変換によりデジタル値に変換され、コンピュータからのアナログＲＧＢ信号の場合はＡ／Ｄ変換される。次に、変換されたデジタル信号画像の画素数が液晶パネル３０２の持つ画素数と異なる場合は、液晶パネル３０２の持つ画素数に一致するように解像度を変換される。次に、コントラスト調整、ブライト調整や、液晶パネル３０２の特性に合わせたガンマ変換などの各調整を施される。
【００３６】
次に画像処理部３０１は、液晶パネル３０２の駆動に必要な各駆動信号を生成すると同時に、変換した画像信号を液晶パネル３０２上の適正な画素に与えるために出力タイミングの調整を行い、画像信号および駆動信号３１０として液晶パネル３０２に対して出力することにより、液晶パネル３０２上に画像を形成させる。ここではワイドアスペクト画像が入力されているとすると、図４Ａに示すように、画面４０１の全領域に画像が表示される。
【００３７】
次に、指示器１０２の動作について説明する。指示器１０２により指示された位置およびボタン情報は指示器１０２から赤外線で発信され、その信号は、リアプロジェクション型ディスプレイ１０１の内部に配されている指示器受信部３０４により検出される。
【００３８】
指示器受信部３０４では、検出した情報を解析し、デジタル値に変換する。本実施の形態においては、位置情報を横方向、縦方向それぞれ１６ビットのデジタル値に、また２つのボタン（メニューボタン、選択ボタン）情報を２ビットのデジタル値に変換するものとする。
【００３９】
すなわち、図４Ｂに示すようリアプロジェクション型ディスプレイ１０１の画面上の左端を指示しているときの横方向の位置情報を０、右端を指示しているときの横方向の位置情報を６５５３５とし、０〜３２７６７の領域を画面の左半分の領域、３２７６８〜６２２３５の領域を画面の右半分の領域と呼ぶ。同様に、画面上の上端を指示しているときの縦方向の位置情報を０、下端を指示しているときの縦方向の位置情報を６５５３５とする。またボタン情報は、押下されているときに“１”、押下されていないときに“０”を示す。そして指示器受信部３０４にて変換された位置／ボタン情報はシステムコントローラ３０３へ送信される。
【００４０】
システムコントローラ３０３は、リアプロジェクション型ディスプレイ１０１のシステム全体の制御を司っており、それらのひとつとして、キー入力部１０３の各キーの押下状態を監視している。また、リモートコマンダー１０４上のボタンを押下したとき発信される無線信号は、リモートコマンダー受信部３０６が受信し、デコードしてキーコードに変換し、システムコントローラ３０３に送られる。ここで、システムコントローラ３０３は、不図示のＲＯＭに格納された各種の制御プログラムに基づいて不図示のＲＡＭを用いて各部を制御しながらシステム全体の制御をしている。
【００４１】
［出力条件の調整処理：図１０、１１］
次に、表示画質の調整や音声出力の音質調整などの出力条件の調整処理を行うときの動作について、図１０および図１１のフローチャートを用いて説明する。なお、これらの処理は、システムコントローラ３０３が不図示のＲＯＭに格納された出力条件の調整処理を行う制御プログラムに基づいて不図示のＲＡＭを用いて各部を制御しながら実行するものである。
【００４２】
図１０において、システムコントローラ３０３は、キー入力部１０３上の“ＭＥＮＵ”キー２０４、または、リモートコマンダー１０４上の“ＭＥＮＵ”ボタン、または、指示器１０２のメニューボタンの押下を検出すると、調整処理を開始する。調整処理においては、キー入力部１０３上の各キーおよびリモートコマンダー１０４上のボタンにより操作を行うが、それに加えて、指示器１０２を使用することもできるようになっている。以下の説明では、、指示器１０２を使用する場合を例にとり説明する。
【００４３】
次に、調整処理を開始すると、ステップＳ１００１に進み、システムコントローラ３０３はまず、指示器１０２の位置情報を検出し、検出された位置情報に基づいてディスプレイ１０１における調整画面の表示位置を決定する。
【００４４】
ステップＳ１００１の詳細を図１１を用いて説明する。図１１のステップＳ１１０１において、指示器１０２が指示する位置情報を検出し、指示器１０２が指示する位置情報がディスプレイ１０１上の画面内の位置を指定しているか否かを調べ、画面内の位置を指定している場合にはステップＳ１１０２に進み、横方向の位置情報が０から３２７６７の範囲、すなわち画面中央から左半分の範囲内にあるなら、ステップＳ１１０３に進み、調整画面の表示位置（オンスクリーン表示の位置）が中央より左方向ある位置（第２の位置）になるようにオンスクリーン表示位置を決定する。
【００４５】
また、ステップＳ１１０２において、横方向の位置情報が３２７６８から６５５３５の範囲、すなわち画面中央から右半分の範囲内にあるなら、調整画面の表示位置（オンスクリーン表示の位置）が中央より右方向（第１の位置）になるようにオンスクリーン表示位置を決定する。
【００４６】
一方、ステップＳ１１０１において、指示器１０２が指示する位置情報がディスプレイ１０１上の画面内の位置を指定していない場合、すなわち、調整処理の開始時に指示器１０２が画面上を指示していない場合には、ステップＳ１１０５に進み、指示器１０２が最後に画面上を指示していた位置情報によって判断を行う。
【００４７】
つまり、ステップＳ１１０５において最後に指示していた横方向の位置情報が０から３２７６７の範囲内にあるなら、ステップＳ１１０７に進み、調整画面の表示位置（オンスクリーン表示の位置）を中央より左方向（第２の位置）になるよう決定し、最後に指示していた横方向の位置情報が３２７６８から６５５３５の範囲内にあるなら、調整画面の表示位置（オンスクリーン表示の位置）を中央より右方向（第１の位置）になるよう決定する。
【００４８】
次に、図１０のステップＳ１００２に進み、システムコントローラ３０３は、調整処理のためのオンスクリーン表示の文字列や色などの表示内容および上述の手順により決定された表示位置を、ＯＳＤ（Ｏｎ Ｓｃｒｅｅｎ Ｄｉｓｐｌａｙ）生成部３０５に対して指示（送信）する。
【００４９】
次に、ステップＳ１００３に進み、ＯＳＤ生成部３０５では、指示された表示内容および表示位置に従って画面上に表示する画像３０８を生成し、画像処理部３０１に対して出力する。
【００５０】
次に、ステップＳ１００４に進み、画像処理部３０１では、入力画像３０９にＯＳＤ生成部３０５からの画像３０８を上書きするなどして合成し、画面上に調整項目のオンスクリーン表示を行う。
【００５１】
表示例を図５および図６に示す。指示器１０２の位置が画面中央より左領域にあるときには、図５に示すように、画面５０１内の中央より左にシフトした位置に調整画面（オンスクリーン表示）５０２が画像の上にオーバーレイ表示される。同様に、指示器１０２の位置が画面中央より右領域にあるときには、図６のように、画面６０１内の中央より右にシフトした位置に調整画面（オンスクリーン表示）６０２が画像の上にオーバーレイ表示される。
【００５２】
図５および図６に示すように、調整画面（オンスクリーン表示）領域の上部には、調整処理の実行中であることを示す“ＭＥＮＵ”という表示を行い、その下に、画質調整を行う“ＰＩＣＴＵＲＥ”、音質調整を行う“ＳＯＵＮＤ”、およびランプの通算点灯時間の表示などを行う“ＬＡＭＰ”という、各メニュー項目を表示している。そして、項目“ＰＩＣＴＵＲＥ”の表示領域のみ、他の項目と異なる色によって表示を行い、現在ポインティングされていることを示している。
【００５３】
項目のポインティングは、“ＵＰ”キー２０６と“ＤＯＷＮ”キー２０９、またはリモートコマンダー１０４上で対応するボタンにより変更する。“ＵＰ”キー２０６で現在ポインティングされている項目の上に表示されている項目、“ＤＯＷＮ”キー２０９で下に表示されている項目にポインティングが移動する。例えば図５および図６の状態では、“ＤＯＷＮ”キーを押下すると、ポインティングは“ＳＯＵＮＤ”に移動する。なお、“ＵＰ”キー２０６が押下された場合には、項目“ＰＩＣＴＵＲＥ”より上の項目は無いので、ポインティング項目は変更されない。
【００５４】
また、“ＳＥＴ”キー２０５、またはリモートコマンダー１０４上で対応するボタンが押下された場合には、ポインティングされている項目が選択されたと判断する。例えば図５および図６のように、“ＰＩＣＴＵＲＥ”がポインティングされている状態で“ＳＥＴ”キー２０５を押下すると、項目“ＰＩＣＴＵＲＥ”が選択されたと判断する。
【００５５】
また、指示器１０２を使用することもでき、画面上に表示されているいづれかの項目上をクリックした場合にも、その項目が選択されたと判断する。
【００５６】
次に、図１０のステップＳ１００５に進み、システムコントローラ３０３は、項目の選択を検出すると、さらに詳細な項目の選択／設定などの処理に移り、それに伴いオンスクリーン表示内容も変更されるが、以降の各調整処理の間もオンスクリーン表示の位置は変更せず同じ位置に行う。なおここでは以降の各調整処理の詳細な説明は省く。
【００５７】
次に、ステップＳ１００６に進み、“ＭＥＮＵ”キー２０４、またはリモートコマンダー１０４上で対応するボタン、または指示器１０２のメニューボタンが押下された場合は、オンスクリーン表示を消去し、調整処理を終了する。
以上のようにして、指示器１０２が指し示す位置に基づいて、使用者の近くにオンスクリーン表示を行うことで、使用者の位置の移動を減らして負担を軽減できる。また、オンスクリーン表示を右方向または左方向にシフトした位置に表示することで、使用者が画面の前に立ったり横切ったりすることを避ける事ができ、視聴者の邪魔にならない。
さらに、画像の中央部分へのオンスクリーン表示を避けることで、画像の邪魔になりにくく、画質調整などがよりやり易くなる。
【００５８】
＜第２の実施の形態＞
第１の実施形態においては、画面アスペクト比と同じアスペクト比の画像が入力された例について説明したが、第２の実施形態では、画面アスペクト比と異なる画像が入力された場合における出力条件の調整処理について説明する。
【００５９】
なお、第２の実施形態が第１の実施形態と異なる点は、入力画像のアスペクト比が画面アスペクト比と異なる点のみであり、第２の実施形態の出力装置の構成は、図１〜図４Ｂを用いて説明した第１の実施形態の出力装置の構成と同じである。従って、以下の説明では、第１の実施形態で説明した内容と重複する点の説明は省略し、出力条件の調整処理において第１の実施形態と異なる点についてのみ説明する。
【００６０】
［入力画像（アスペクト比４：３）とアイコンの表示］
テレビ放送やビデオ映像などでは、アスペクト比４：３としたものが一般に普及している。そこで、リアプロジェクション型ディスプレイ１０１のアスペクト比１６：９に対して、入力画像として、アスペクト比４：３である画像が入力されたときには、システムコントローラ３０３がアスペクト比を検出し、図７に示すように、画面７０１の中央部分にアスペクト比４：３の画像を表示して、画像が表示されない画面内の左右の領域７０４、７０５には黒表示を行うように設定する。
【００６１】
このとき、図７に示すように、画面上の左側と右側の黒表示領域７０４，７０５内にそれぞれ、調整処理を開始するための出力条件の調整処理の表示位置を示すアイコン７０２および７０３をオンスクリーン表示する。
【００６２】
なお、本実施の形態においては、左側の白い表示のアイコン７０２をアイコンが選択されている状態を示すポインティング状態の表示とし、右側の灰色のアイコン７０３をアイコンが選択されていない状態を示す非ポインティング状態の表示とし、どちらのアイコン選択されているかを使用者が分かるように設定している。なおアイコンの位置、アイコンの形状、アイコンのポインティング状態／非ポインティング状態の色による識別は一例でありどのように設定しても良い。
【００６３】
［アイコンの選択］
なお、左右のアイコンの選択（出力条件の調整処理の表示位置の選択）、すなわち左右のアイコンのポインティング状態／非ポインティング状態の変更は、使用者がキー入力部１０３の“ＬＥＦＴ”キー２０７、“ＲＩＧＨＴ”キー２０８、またはリモートコマンダー１０４上の“ＬＥＦＴ”ボタン、“ＲＩＧＨＴ”ボタンにより行う。すなわち、使用者がキー入力部１０３の“ＬＥＦＴ”２０７キーまたはリモートコマンダー１０４上の“ＬＥＦＴ”ボタンを押下すると、左側のアイコン７０２がポインティング状態（アイコンが選択されている状態）に変更され、使用者がキー入力部１０３の“ＲＩＧＨＴ”キー２０８またはリモートコマンダー１０４上の“ＲＩＧＨＴ”ボタンを押下すると、右側のアイコン７０３がポインティング状態（アイコンが選択されている状態）に変更される。
【００６４】
［出力条件の調整処理：図１２、１３］
次に、表示画質の調整や音声出力の音質調整などの出力条件の調整処理を行うときの動作について、図１２および図１３のフローチャートを用いて説明する。なお、これらの処理は、システムコントローラ３０３が不図示のＲＯＭに格納された出力条件の調整処理を行う制御プログラムに基づいて不図示のＲＡＭを用いて各部を制御しながら実行するものである。
【００６５】
図１２のステップＳ２０００において、システムコントローラ３０３が、キー入力部１０３上の“ＭＥＮＵ”キー２０４、または、リモートコマンダー１０４上の“ＭＥＮＵ”ボタンの押下、または、指示器１０２による左右どちらかのアイコン７０２，７０３のクリックを検出すると、システムコントローラ３０３は、出力条件の調整処理を開始する。
【００６６】
次に、ステップＳ２００１に進み、システムコントローラ３０３はまず、図７の左右どちらのアイコン７０４、７０５が選択されたかを調査し、選択されたアイコンに基づいてディスプレイ１０１における調整画面の表示位置を決定する。
【００６７】
ステップＳ２００１の詳細を図１３を用いて説明する。図１３のステップＳ２１０１において、左側の領域のアイコン７０２がポインティングされている状態で使用者により、キー入力部１０３の“ＭＥＮＵ”キー２０４が押下されたのを検知した場合、リモートコマンダー１０４上の“ＭＥＮＵ”ボタンが押下されたのを検知した場合、および指示器１０２が左側の領域のアイコン７０２がクリックされたのを検知した場合には、ステップＳ２１０１に進み、図８に示すように、調整画面であるオンスクリーン表示８０２を画面の中央より左の領域の位置（第２の位置）に表示するように決定する。
【００６８】
同様に、図１３のステップＳ２１０１において、右側の領域のアイコン７０３がポインティングされている状態で使用者によりキー入力部１０３の“ＭＥＮＵ”キー２０４が押下されたのを検知した場合、リモートコマンダー１０４上の“ＭＥＮＵ”ボタンが押下されたのを検知した場合、および指示器１０２が右側の領域のアイコン７０３がクリックされたのを検知した場合には、ステップＳ２１０３１に進み、図９に示すように調整画面であるオンスクリーン表示９０２を画面の中央より右の領域の位置（第１の位置）に表示するように決定する。
【００６９】
次に、図１２のステップＳ２００２に進み、システムコントローラ３０３は、調整処理のためのオンスクリーン表示の文字列や色などの表示内容および上述の手順により決定された表示位置を、ＯＳＤ（Ｏｎ Ｓｃｒｅｅｎ Ｄｉｓｐｌａｙ）生成部３０５に対して指示（送信）する。
【００７０】
次に、ステップＳ２００３に進み、ＯＳＤ生成部３０５では、指示された表示内容および表示位置に従って画面上に表示する画像３０８を生成し、画像処理部３０１に対して出力する。
【００７１】
次に、ステップＳ２００４に進み、画像処理部３０１では、入力画像３０９にＯＳＤ生成部３０５からの画像３０８を上書きするなどして合成し、画面上に調整項目のオンスクリーン表示を行う。
【００７２】
表示例を図８および図９に示す。左側の領域のアイコン７０２が選択された場合には、図８に示すように、画面８０１内の中央より左にシフトした位置に調整画面（オンスクリーン表示）８０２が画像の上にオーバーレイ表示される。同様に、右側の領域のアイコン７０２が選択された場合には、図９のように、画面９０１内の中央より右にシフトした位置に調整画面（オンスクリーン表示）９０２が画像の上にオーバーレイ表示される。
【００７３】
図８および図９に示すように、調整画面（オンスクリーン表示）領域の上部には、調整処理の実行中であることを示す“ＭＥＮＵ”という表示を行い、その下に、画質調整を行う“ＰＩＣＴＵＲＥ”、音質調整を行う“ＳＯＵＮＤ”、およびランプの通算点灯時間の表示などを行う“ＬＡＭＰ”という、各メニュー項目を表示している。そして、項目“ＰＩＣＴＵＲＥ”の表示領域のみ、他の項目と異なる色によって表示を行い、現在ポインティングされていることを示している。
【００７４】
項目のポインティングは、“ＵＰ”キー２０６と“ＤＯＷＮ”キー２０９、またはリモートコマンダー１０４上で対応するボタンにより変更する。“ＵＰ”キー２０６で現在ポインティングされている項目の上に表示されている項目、“ＤＯＷＮ”キー２０９で下に表示されている項目にポインティングが移動する。例えば図８および図９の状態では、“ＤＯＷＮ”キーを押下すると、ポインティングは“ＳＯＵＮＤ”に移動する。なお、“ＵＰ”キー２０６が押下された場合には、項目“ＰＩＣＴＵＲＥ”より上の項目は無いので、ポインティング項目は変更されない。
【００７５】
また、“ＳＥＴ”キー２０５、またはリモートコマンダー１０４上で対応するボタンが押下された場合には、ポインティングされている項目が選択されたと判断する。例えば図８および図９のように、“ＰＩＣＴＵＲＥ”がポインティングされている状態で“ＳＥＴ”キー２０５を押下すると、項目“ＰＩＣＴＵＲＥ”が選択されたと判断する。
【００７６】
また、指示器１０２を使用することもでき、画面上に表示されているいづれかの項目上をクリックした場合にも、その項目が選択されたと判断する。
【００７７】
次に、図１２のステップＳ２００５に進み、システムコントローラ３０３は、項目の選択を検出すると、さらに詳細な項目の選択／設定などの処理に移り、それに伴いオンスクリーン表示内容も変更されるが、以降の各調整処理の間もオンスクリーン表示の位置は変更せず同じ位置に行う。なおここでは以降の各調整処理の詳細な説明は省く。
【００７８】
次に、ステップＳ２００６に進み、“ＭＥＮＵ”キー２０４、またはリモートコマンダー１０４上で対応するボタン、または指示器１０２のメニューボタンが押下された場合は、オンスクリーン表示を消去し、調整処理を終了する。
【００７９】
［他の実施形態］
なお、本発明は、例えば、装置、方法、プログラムもしくは記憶媒体などとしての実施態様を取ることが可能であり、具体的には、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００８０】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【００８１】
この場合、記憶媒体から読み出されたプログラムコード自体が前述した実施形態の機能を実現することになり、そのプログラムコードを記憶した記憶媒体は本発明を構成することになる。
【００８２】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００８３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００８４】
本発明を上記記憶媒体に適用する場合、その記憶媒体には、先に説明した図１０〜図１３などに示した処理を実現するプログラムが格納されることになる。
【００８５】
以上のようにして、画像が表示されていない非表示領域に出力条件の調整画面の表示位置を選択させるアイコンを表示することにより、画面を有効に利用することができる。また、このアイコンを複数表示して、選択されたアイコンの位置に基づいて使用者の近くに出力条件の調整画面のオンスクリーン表示を行うことで、使用者の移動を減らすことができ使用者の負担を軽減できる。また、オンスクリーン表示を右方向または左方向にシフトした位置に表示することで、使用者が画面の前に立ったり横切ったりすることを避ける事ができ、視聴者の邪魔にもならない。
【００８６】
以上説明したように、本発明によれば、表示パネル上にメニュー画面を画像に重ねて表示する際に、ユーザが指示器等で表示パネル上のメニュー画面の表示位置を指定すると、指定された表示位置の近くにメニュー画面を表示できる。
【００８７】
例えば、指示器を使用して出力条件の調整をする場合、通常、使用者は他の視聴者に邪魔にならないように、画面の横方向に位置する場合が多いが、オンスクリーン表示を行うときに使用者の位置からより近い場所に調整画面表示することで、使用者が場所を移動する手間を省き使用者の負担を軽減することができる。
【００８８】
また、オンスクリーン表示を画面の右方向または左方向にシフトした位置に表示することで、使用者は画面の横方向に位置したままで出力条件の調整の操作を行うことができるため画面の前に立ったり画面を横切ったりすることも無くなり、視聴者の邪魔にならずに出力条件の調整を容易に行える。
【００８９】
さらに、アスペクト比が異なる画像を表示するとき、画面内の左右に非表示領域が発生した場合には、左右それぞれの非表示領域内にアイコンを表示することで、画面内をより有効に利用でき、選択されたアイコンの側にオンスクリーン表示を行うことで、上述のように使用者の負担を軽減できる。
【図面の簡単な説明】
【００９０】
【図１Ａ】本発明の実施の形態の構成を表す図である。
【図１Ｂ】本発明の実施の形態の構成を表す図である。
【図２】キー入力部の拡大図である。
【図３】アプロジェクション型ディスプレイの内部構成の一部である。
【図４Ａ】第１の実施形態の画面表示の一例を示す図である。
【図４Ｂ】第１の実施形態の画面を説明する図である。
【図５】第１の実施形態の調整処理画面表示の一例を示す図である。
【図６】第１の実施形態の調整処理画面表示の一例を示す図である。
【図７】第２の実施形態の画面表示の一例を示す図である。
【図８】第２の実施形態の調整処理画面表示の一例を示す図である。
【図９】第２の実施形態の調整処理画面表示の一例を示す図である。
【図１０】第１の実施形態における出力条件の調整処理を説明する図である。
【図１１】第１の実施形態の調整画面の表示位置の決定方法を説明する図である。
【図１２】第２の実施形態における出力条件の調整処理を説明する図である。
【図１３】第２の実施形態の調整画面の表示位置の決定方法を説明する図である。
【符号の説明】
【００９１】
１０１  リアプロジェクション型ディスプレイ
１０２  指示器
１０３  キー入力部
１０４  リモートコマンダー
２０２  “ＰＯＷＥＲ”キー
２０３  “ＳＯＵＲＣＥ”キー
２０４  “ＭＥＮＵ”キー
２０５  “ＳＥＴ”キー
２０６  “ＵＰ”キー
２０７  “ＬＥＦＴ”キー
２０８  “ＲＩＧＨＴ”キー
２０９  “ＤＯＷＮ”キー
２１０  “ＶＯＬ ＵＰ”
２１１  “ＶＯＬ ＤＯＷＮ”キー
３０１  画像処理部
３０２  液晶パネル
３０３  システムコントローラ
３０４  指示器受信部
３０５  ＯＳＤ生成部
３０６  リモートコマンダー受信部
４０１  表示画面
５０１  表示画面
５０２  調整処理オンスクリーン表示
６０１  表示画面
６０２  調整処理オンスクリーン表示
７０１  表示画面
７０２  ポインティング状態メニューアイコン
７０３  非ポインティング状態メニューアイコン
８０１  表示画面
８０２  調整処理オンスクリーン表示
９０１  表示画面
９０２  調整処理オンスクリーン表示
【図１Ａ】
2005122393.tif 000003
【図１Ｂ】
2005122393.tif 000004
【図２】
2005122393.tif 000005
【図３】
2005122393.tif 000006
【図４Ａ】
2005122393.tif 000007
【図４Ｂ】
2005122393.tif 000008
【図５】
2005122393.tif 000009
【図６】
2005122393.tif 000010
【図７】
2005122393.tif 000011
【図８】
2005122393.tif 000012
【図９】
2005122393.tif 000013
【図１０】
2005122393.tif 000014
【図１１】
2005122393.tif 000015
【図１２】
2005122393.tif 000016
【図１３】
2005122393.tif 000017